(57)【特許請求の範囲】
【請求項１】
ケース本体には、その内部に、互いに独立回動する内・外摺動子とその後部に配されるラッチ体が設けられ、外部に、所定の等角度に符号が附された操作摘みを前記内・外摺動子にその前部で連繋せしめて装着すると共に、
前記符号の任意の組合せを解錠符号として選択する操作摘みの回転操作によって、内・外摺動子に設けた切欠き部を前記ラッチ体の配設位置で一致させ、該摺動子により出没規制された施錠状態のラッチ体を前記切欠き部内に出没許容して解錠するよう構成されたダイヤル錠であって、
前記切欠き部同士を前記解錠符号の組合せにより一致させるよう、前記内・外側摺動子のそれぞれに、内・外何れかの摺動子が一回転することで互いに係合する係合片を前記切欠き部を基準として設けて、外側摺動子を内側摺動子に嵌挿すると共に、
前記内側摺動子には、前記係合片が配設された先端部側に、その外周面に環状凹部が設けられ、外側摺動子と共にケース本体の内壁面と対面する筒状頭部を形成せしめる一方、
前記ケース本体は、円筒状部材を縦断分割せしめて、その内壁面に環状凸部が設けられた一対のケース半体を組みとして構成し、
前記内側摺動子を、一方のケース半体の環状凸部に、前記環状凹部を嵌合させて他方のケース半体をセットし、ケース本体内に位置決め保持せしめ、これに前記操作摘みを嵌挿することで、前記筒状頭部の上面部と操作摘みとを対面させて仮組付け可能に構成し、
該仮組付け状態で、前記筒状頭部と操作摘みとを、それぞれの対向面に形成した一対の嵌合手段を介して一体回動するよう嵌装し、操作摘み側の操作によって、前記切欠き部同士の角度位置を異相させる前記解錠符号の組合せパターンを調整設定可能に構成せしめたことを特徴とするダイヤル錠装置。
【請求項２】
請求項１において、前記内・外何れか一方の摺動子を、該摺動子の係合片を解錠符号の組合せパターンごとに異なる角度位置に設定せしめて複数用意し、これら摺動子の選択と前記嵌合手段の嵌合角度選択とによって、解錠符号の組合せパターンを複合させて増加する構成としたことを特徴とするダイヤル錠装置。
【請求項３】
請求項１または２において、前記操作摘みは、前記符号が附されケース本体に回転可能に嵌挿される摘み部と、該摘み部に被装係止されるトップカバー部とをそれぞれ分割して構成し、該トップカバー部に前記嵌合手段が設けられていることを特徴とするダイヤル錠装置。
【請求項４】
請求項１乃至３の何れかにおいて、前記摘み部の符号部分を覆い、一部に解除符号の選択窓部が形成された符号カバーを、前記トップカバー部より嵌挿してケース本体に着脱可能に装着したことを特徴とするダイヤル錠装置。
【請求項５】
請求項１乃至３の何れかにおいて、前記ケース本体には、郵便受け箱等の蓋体への取付け用の鍔部が形成されており、解除符号の選択合わせ部が形成されたマークシートを、前記鍔部背面に着脱自在に装着したことを特徴とするダイヤル錠装置。
【請求項６】
請求項１乃至５の何れかにおいて、前記ラッチ体を、ラッチケース内に常時突出方向に弾装し、前記内・外摺動子の切欠き部に没入して弾性復帰する際に、ラッチケースに設けた緩衝体で衝止するよう装着する一方、前記緩衝体を、ラッチケースに一体的に延出形成した湾曲Ｌ字状の舌片で構成したことを特徴とするダイヤル錠装置。
【請求項７】
請求項１乃至６の何れかにおいて、前記ケース本体の内壁面に、前記符号位置に対応した間隔を存して溝部を刻設する一方、前記筒状頭部と前記外側摺動子のそれぞれの外周面部に、ケース本体の内壁面に弾性摺接する摺接部材を設け、前記操作摘みの回転操作によって前記摺接部材を前記溝部に係脱させて、操作摘みの符号送りを、各ステップ角度位置でホールドしスナップ性を付与すべく構成したことを特徴とするダイヤル錠装置。
【発明の詳細な説明】
【０００１】
【発明の属する技術分野】
本発明は、マンション、オフィスビルなどの集合郵便受けユニット等に設けられる郵便受け箱のダイヤル錠装置に関するものである。
【０００２】
【従来の技術】
一般に、マンション、オフィスビル、公共などの集合郵便受けユニット等に設けられる郵便受け箱には、ダイヤル錠装置が設けられ、ダイヤル錠の解除番号（暗証番号）は、０から９までの数値のうち２桁の数値の組合せパターンを異ならしめて行う必要があることから、互いに独立回動する内・外２重に配した摺動子の切欠き部を前記ラッチ体の出没位置で一致させて解錠する方法が採用されている。
【０００３】
ところで、従来のダイヤル錠装置では、例えば特許第３１３９６２９号公報に開示された如く、前記内・外摺動子（１、２）（以下かっこ内は公報所載の符号）の組付け位置を異なしめ、操作摘みの数値符号０〜７のステップ送りに対応して切欠き部（３、４）の一致パターンを異ならしめて行われていた。
すなわち、内側摺動子（１）の頭部に、該頭部が挿入される回転板（８）の裏面側８角面部（８ａ）の孔内に設けられた８つの歯片部（図示されず）に係合する溝部を設け、外側摺動子（２）の頭部に８角形の断部（２ａ）と前記８角面部（８ａ）に設けられた第１係合片（８ｂ）に干渉係合する第２係合片（２ｂ）を設け、更に、前記回転板（８）の表面側に、操作摘み（６）の内部に設けられた８つの歯片部（図示されず）への嵌合溝が設けられ、これら４つの部材を組み合わせる。
これら組合せにあたっては、まず、内側摺動子（１）の頭部溝部と回転板（８）の裏面側孔内の歯片部とを角度位置を変えて嵌挿させて、解錠符号の組合せパターンを異ならしめる第１のバリエーションと、回転板（８）の表面側の嵌合溝と操作摘み（６）内部の歯片部とを角度位置を変えて嵌挿させて、解錠符号の組合せパターンを異ならしめる第２のバリエーションとにより、００、１１・・などの同数値組合せを除く解除番号０１〜７６までの組合せ設定を行うようにしていた。
【０００４】
また、操作摘み（６）の数値符号０〜７のステップ送りに際しては、各ステップ角度位置でホールドしスナップ性を付与するため、本体ケース（１２）に、まず、外側摺動子（２）を嵌挿し、次いで、板バネ（１７、１７）を前記８角形の断部（２ａ）を挟み込んで取り付けた後、板バネ（１７、１７）間に、前記回転板（８）の８角面部（８ａ）を嵌入することで行われていた。
また、ラッチ体（５）が前記内・外摺動子の切欠き部（３，４）に没入して弾性復帰する際に、ラッチケース（１３）に衝突する衝撃音を軽減するため、ラッチケース（１３）穿設した収納孔（２４）にコイルバネ（２５）を埋め込み、これにゴム性緩衝体（２２）を取り付けて衝止するように構成されていた。
【０００５】
したがって、このものには次のような問題点がある。
▲１▼  解除番号の組合せ設定を行う組み立て作業工程において、第１のバリエーションと第２のバリエーションを、それぞれ１つの内・外摺動子（１，２）で前記回転板（８）および操作摘み（６）との組合せによって行うため、製品自体を構成する部品点数が多くなり、制作、在庫などの部品管理や、解除番号の組合せ設定作業など組立作業が煩雑となって、正規解除番号と相違する製品ができてしまうなどの組み立てミスを誘発する危惧がある。
▲２▼  操作摘み（６）を各ステップ送りの角度位置で、ホールドし、スナップ性を付与する構成部品の組付け作業が複雑となり、手作業による組付けが難しく組立持具を必要とするばかりか、特に板バネ（１７、１７）間に、外側摺動子（２）と回転板（８）のそれぞれを、前記解除番号の組合せ設定を行うための角度位置を決めてセッティングすることとの兼ね合いが難しく、前記組み立てミスを更に誘発する危惧がある。
▲３▼  ラッチ体（５）とラッチケース（１３）との衝撃音を軽減するための構成が複雑で、ラッチケース（１３）への収納孔（２４）の形成や、コイルバネ（２５）、ゴム性緩衝体（２２）の部品管理や組付け作業が強いられることになり、コスト高の要因となっていた。
要するに、このものは、ダイヤル錠装置自体を構成する個々の部品点数が多く複雑であり、結果、組立工程と部品管理の煩雑化を招き、組み立て作業効率が悪く、コスト高の要因となると共に、組み立てミスを誘発し正規解除番号と相違する製品ができてしまう危惧があるという問題がある。
【０００６】
【発明が解決しようとする課題】
本発明は、上記の如き問題点を一掃すべく創案されたものであって、ダイヤル錠装置を構成する内・外摺動子や操作摘み、ラッチケースなどの構成要素のトータル的な改良により、装置全体の構造の簡略化や個々の部品点数の削減を図ることができ、組立工程と部品管理が簡素化されて、組み立て作業効率の向上と、コスト低減が図れると共に、組み立てミスを回避し正規解除番号と相違する製品ができてしまう危険性を排除することのできるダイヤル錠装置を提供することを課題としている。
【０００７】
【課題を解決するための手段】
上記課題を解決するために本発明が採用した技術手段は、ケース本体には、その内部に、互いに独立回動する内・外摺動子とその後部に配されるラッチ体が設けられ、外部に、所定の等角度に符号が附された操作摘みを前記内・外摺動子にその前部で連繋せしめて装着すると共に、前記符号の任意の組合せを解錠符号として選択する操作摘みの回転操作によって、内・外摺動子に設けた切欠き部を前記ラッチ体の配設位置で一致させ、該摺動子により出没規制された施錠状態のラッチ体を前記切欠き部内に出没許容して解錠するよう構成されたダイヤル錠であって、前記切欠き部同士を前記解錠符号の組合せにより一致させるよう、前記内・外側摺動子のそれぞれに、内・外何れかの摺動子が一回転することで互いに係合する係合片を前記切欠き部を基準として設けて、外側摺動子を内側摺動子に嵌挿すると共に、前記内側摺動子には、前記係合片が配設された先端部側に、その外周面に環状凹部が設けられ、外側摺動子と共にケース本体の内壁面と対面する筒状頭部を形成せしめる一方、前記ケース本体は、円筒状部材を縦断分割せしめて、その内壁面に環状凸部が設けられた一対のケース半体を組みとして構成し、前記内側摺動子を、一方のケース半体の環状凸部に、前記環状凹部を嵌合させて他方のケース半体をセットし、ケース本体内に位置決め保持せしめ、これに前記操作摘みを嵌挿することで、前記筒状頭部の上面部と操作摘みとを対面させて仮組付け可能に構成し、該仮組付け状態で、前記筒状頭部と操作摘みとを、それぞれの対向面に形成した一対の嵌合手段を介して一体回動するよう嵌装し、操作摘み側の操作によって、前記切欠き部同士の角度位置を異相させる前記解錠符号の組合せパターンを調整設定可能に構成せしめたことを特徴とするものである。
【０００８】
【発明の実施の形態】
以下、本発明の実施の形態を好適な実施の形態として例示する施錠装置を図面に基づいて詳細に説明する。図面において、１はマンション、オフィスビルなどの出入り口近傍の壁面に設けられる集合郵便受けユニット等の郵便受け箱に取付けダイヤル錠装置であって、該ダイヤル錠装置１は、郵便受け箱の開閉蓋への取付け用鍔部２１が周設一体形成されたケース本体２、該ケース本体２の前部側で外部より被装される所定の等角度もって０〜９の数値符号が附された操作摘み３と符号部分を覆う符号カバー３１、ケース本体２の後部側で内部に挿設されるラッチ体４０１を有するラッチケース４、および、ケース本体２内部に配設されて、前記操作摘み３の右回転と左回転の操作によって、数値符号の任意の組合せを解錠符号として選択し、ラッチ体４０１を出没許容して解錠するための相互に独立回動可能な内・外摺動子５、６により構成されている。これら部材により装置全体を構成することは略公知である。
【０００９】
前記ケース本体２は、円筒状部材を縦断分割して形成される一対のケース半体２０１、２０１を組みとして構成され、その内壁面に、前記符号割り振り位置に対応した間隔を存して溝部２０２が刻設されている。また、ケース本体２の後部側の一方には、ラッチケース４の嵌合凸部４０２が挿入されるラッチケース用切欠き部２０３とラッチ体４０１の後端側が出没する切欠き部２０３ａが連続して設けられ、他方にはラッチ体４０１の先端側が出没する切欠き部２０４が設けられている。なお、鍔部２１の裏面側には、郵便蓋体へのビス孔２１２が穿設されている。
【００１０】
前記ラッチケース４には、ラッチ体４０１を常時突出方向に弾圧するコイルバネ４０３設けられ、ラッチ体４０１は、先端が傾斜状に形成されていて、その中央部上下方向に設けられた長孔４０４を介して上下方向および回転方向に出没可能にピン４０５によりケース４に軸着されている。
４０６はラッチケース４に一体形成された緩衝体であって、該緩衝体４０６は、前記嵌合凸部４０２から略Ｌ状に湾曲して、ラッチ体４０１の肉厚よりも幅広で延設する自由端状の舌片で構成されており、ラッチ体４０１が、郵便ボックスの蓋体の開放時に、ラッチ受けに抗して回転没入して弾性復帰する際に、ラッチ体４０１の後端部が衝止され、衝撃吸収できる構成となっている。
【００１１】
前記内・外摺動子５、６のそれぞれには、前記ラッチ体４０１の後端部が出没する切欠き部５０１、６０１と、互いに対向する側に係合片５０２、６０２が設けられている。
つまり、内側摺動子５と外側摺動子６は、共に円筒状部材で形成され、内側摺動子５は、外側摺動子６の内径よりも僅かに小さい外径で形成されおり、外側摺動子６を嵌挿し、前記係合片５０２、６０２が１回転することで干渉係合させて互いに独立回動するよう構成され、前記切欠き部５０１と６０１が一致したときにラッチ体４０１の後端部が出没するようになっている。
【００１２】
一方、内側摺動子５には、外側摺動子６の外径と等しい径の頭部５０３が一体形成されており、この頭部５０３にはケース本体２に設けられた環状凸部２０５に位置決め嵌合する環状凹部５０４が設けられ、先端面には操作摘み３を構成するトップカバー部３０２に設けられた雄歯状部３０３と対向する雌歯状部５０５が設けられており、雄歯状部３０３と雌歯状部５０５とによって一対の嵌合手段を形成して一体回動するよう構成されている。なお、環状凸部２０５は連続して形成する必要はない。
歯状部３０３と５０５は、９個の歯状により形成されており、前記数値符号０〜９に対応する角度位置で選択的な可変嵌合を可能に構成されていて、雌歯状部５０５は、操作摘み３（雄歯状部３０３）と対面するようケース本体２外方に臨ませて外観視できるように配されており、前記操作摘み３側の嵌合操作によって前記解錠符号の組合せパターン（前記切欠き部５０１および係合片５０２の角度配置）を異ならしめることができる第１のバリエーションが形成される。なお、前記雌歯状部５０５は、郵便受け箱の蓋体の開き方向が横開きタイプ用のものであるが、跳ね上げタイプのものに採用する場合は、符号の割付とラッチ体４０１の配置との関係で、歯状を約１８゜ずらして回転させたものを用いるようにする。
【００１３】
また、前記内側摺動子５の切欠き部５０１を基準として前記係合片５０２との角度配置を異なしめて、解錠符号の組合せパターンを増加させる第２のバリエーションを形成する場合には、内側摺動子５を８個用意し、それぞれの係合片５０２を、図６のＡ〜Ｈに示す如く、それぞれ係合片５０２の中心が１３５゜、９９゜、６３゜、２７゜、９゜、４５゜、２７９゜、２４３゜となるよう角度配置を異ならしめて形成しておき、前記第１のバリエーションと選択的に組合せることにより、００、１１・・などの同数値組合せを除く解除番号０１〜９８までの組合せ設定を行うようになっている。これら複数の内側摺動子５は、解除符号を識別し部品管理を容易ならしめるために、色違いのものを成形し、部品番号などにより管理されている。なお、摺動子の複数化については、内側摺動子５に変えて外側摺動子６に採用しても良い。
【００１４】
前記内側摺動子５の頭部５０３と外側摺動子６の外周面には、ケース本体２の内壁面に弾性摺接する摺接部材としての先端が湾曲した板バネ７が、それぞれの取付け溝５０６と６０６の背反する２ヶ所に設けられており、前記操作摘み３の回転操作によって板バネ７を前記溝部２０２に係脱させて、操作摘み３の符号送りを、各ステップ角度位置でホールドしスナップ性を付与するように構成されている。
【００１５】
前記操作摘み３は、数値符号が附された鍔部を有する所謂ハット型形状を成した摘み部３０１と、前記雄歯状部３０３を有し、摘み部３０１の外形よりも少しく大きい径のトップカバー部３０２とで分割構成されている。摘み部３０１の上面部には、中央に前記雌歯状部５０５が臨める孔部３０４とトップカバー部３０２の位置決め孔部３０５が穿設されており、トップカバー部３０２の裏面側対向位置に前記孔部３０５への凸部３０６が設けられている。
【００１６】
前記符号カバー３１は、前記摘み部３０１の符号部分を覆い、一部に解除符号の選択窓部３１１が形成されたドーナツ形状を有しており、前記トップカバー部３０２の外方より嵌挿してケース本体の鍔部２１に着脱自在に装着される。
また、前記符号カバー３１を用いず前記符号部分を外観露出しておく場合には、前記鍔部２１の裏面側段部２１１に、解除符号の選択合わせ部８０１が形成された薄厚Ｃ字リング状のマークシート８を取り付けるようになっている。
【００１７】
次に、ダイヤル錠装置１の組立手順を図９に基づいて説明する。まず、ケース半体２０１に内・外摺動子５、６をセットする。その際、内・外摺動子５、６の切欠き部５０１、６０１と、ケース半体２０１のラッチ体４０１の後端側が出没する切欠き部２０３を一致させてから、もう一方のケース半体２０１をセットし、トップカバー部３０２をセットした摘み部３０１をケース本体２に嵌挿させることで、仮組付け状態を保持することができる。
この仮組付け状態で、操作摘み３を回転させて切欠き部５０１と６０１の角度位置を異相させ、解除符号の選択窓部３１１位置の数値を、操作摘み３を少し引き抜いて、前記雄歯状部３０３と雌歯状部５０５との挿入・出を行って設定調整し、解除符号の前記第１のバリエーションを決定する。
次いで、ビス９を、内側摺動子５の頭部５０３に穿設したビス孔５０７を介してトップカバー部３０２の雄歯状部３０３に穿設したビス孔３０７へ螺入することで連結した後、ケース本体２の後部側からラッチケース４を挿入しビス９により固着し、前部側から符号カバー３１を挿入して嵌着すれば組立が完了する。
【００１８】
叙述の如く構成された本発明の実施の形態において、いま、操作摘み３の回転操作によって、前記０〜９の数値符号のうち任意の組合せ番号を解錠符号として選択し、内・外摺動子５、６に設けた切欠き部５０１と６０１を前記ラッチ体４０１の配設位置で一致させ、内・外摺動子５、６により出没規制された施錠状態のラッチ体４０１を前記切欠き部５０１、６０１内に出没許容して解錠するにあたり、前記内・外側摺動子５，６のそれぞれに設けた係合片５０２、６０２が一回転することで互いに干渉係合することで前記切欠き部５０１と６０１同士を前記解錠符号の組合せにより一致させるのであるが、本発明のダイヤル錠装置１は、前記内側摺動子５の頭部５０３上面部（一部でも良い）を前記操作摘み３の裏面側と対面するように前記ケース本体２より臨ませて、該上面部と操作摘み３とを、一対の嵌合手段を形成する雄歯状部３０３と雌歯状部５０５を介して一体回動するよう嵌装すると共に、該嵌合手段３０３、５０５は、前記操作摘み３側の嵌合操作によって前記解錠符号の組合せパターンを異ならしめるべく、前記符号に対応する角度位置で選択的な可変嵌合が可能に構成されている。
したがって、ダイヤル錠装置１全体の構造の簡略化や部品点数の削減を図ることができ、内側摺動子５と操作摘み３とを、従来のような中間部材を何ら介在することなく直接的に組み付けて、前記切欠き部５０１と６０１の角度位置を確認調整しながら解錠符号の組合せパターンの設定作業ができるようになり、結果、組立作業が容易となり、作業工数の削減と作業時間の短縮が図られ安価に制作し得て、組み立てミスを防止し誤った解錠符号の製品ができてしまうことを回避し、しかも、操作摘み３側の嵌合操作で簡単に解錠符号の組合せパターンを変更することができるため、両者を嵌合固定する前の仮組付けした状態で、分解することなく解錠符号の組合せ確認作業を容易に行うことができる。
【００１９】
また、前記内側摺動子５を、その係合片を解錠符号の組合せパターンごとに異なる角度位置に設定せしめて複数用意し、これら摺動子５、５，……の選択と前記嵌合手段である雄歯状部３０３と雌歯状部５０５の嵌合角度選択とによって、解錠符号の組合せパターンを複合させて増加する構成としてあるので、任意の解錠符号に対応した内側摺動子５を選択してセットするだけなので、従来のように内・外摺動子５、６の組合せセッティングの煩雑性が払拭されて、組付け作業の簡略化が図れ持具などを要しなくても行えるようになり、組み立てミスを防止し誤った解錠符号の製品ができてしまうことを回避できるばかりか、内側摺動子５の在庫管理を要するものの装置１自体を構成する部品点数が削減され、機構をコンパクトなものとすることができ、作業工数の削減と作業時間の短縮が図られ全体を安価なものとして提供することができる。
【００２０】
また、前記操作摘み３は、前記数値符号が附されケース本体２に回転可能に嵌挿される摘み部３０１と、該摘み部３０１に被装係止されるトップカバー部３０２とをそれぞれ分割して構成し、該トップカバー部３０２に前記嵌合手段としての雄歯状部３０３が設けられていることにより、ダイヤルの回転操作を行う摘み部３０１と、郵便受け箱の蓋体を開閉する際の指掛かりとなるトップカバー部３０２とのそれぞれの機能に適合した形状の制作と色違い等による組合せが行えるようになり、トップカバー部３０２を集合住宅の各階毎に異ならしめた製品提供ができるばかりか、解錠符号の設定の際にトップカバー部３０２を外した状態で内・外摺動子５，６の位置設定に何ら影響を与えることなく符号位置の調整ができ、しかも、摘み部３０１の上面とトップカバー部３０２との二重構造となるので、トップカバー部３０２が確実に固定されて両者が一体形成されたものに比し安全性を向上することができる利点がある。
【００２１】
また、前記摘み部３０１の符号部分を覆い、一部に解除符号の選択窓部３１１が形成された符号カバー３１を、前記トップカバー部３０２より嵌挿してケース本体２の鍔部２１の周縁片に着脱可能に取付けしてあるので、従来のように操作摘み３を分解して取り外すことなく、組み立てられた装置１に対して装着でき、符号カバー３１の要・不要の要請に対応した使い分けができるようになり、前記マークシート８が、鍔部２１の段部２１１に着脱自在に装着できる構造となっており、これを予め装着しておくことにより現場においても要請に迅速に対応することができる。しかも、予め露出タイプを想定して数値符号に凹凸を付けて指先で符号確認ができるようにしておけば、お年寄り等の弱視者に対しても便利である。
【００２２】
また、前記ケース本体２は、円筒状部材を縦断分割して形成される一対のケース半体２０１を組みとして構成されているので、ケース２内部に溝部２０２や環状凸部２０５のような凹凸部を形成でき、摺動子の保持機能など所望の機能が容易に採用できるばかりか、組付け作業を容易なものとし、機構のコンパクト化を図ることができる。
【００２３】
また、前記ケース本体２の内壁面に、数値符号位置に対応した間隔を存して溝部２０２が刻設されており、加えて、内側摺動子５の頭部５０３と、外側摺動子６の外周面部のそれぞれに、ケース本体２の内壁面に弾性摺接する摺接部材７が設けられていて、操作摘み３の回転操作によって摺接部材７を溝部２０２に係脱させて、操作摘み３の符号送りを、各ステップ角度位置でホールドしスナップ性を付与すべく構成してあるので、操作摘み３は各数値位置でカチ、カチと順送りされ符号あわせが行い易いと共に、従来のような操作摘み側と摺動子側の対局において行う場合に比して、構造や組立作業の簡略化、機構のコンパクト化を図ることができ、装置全体の小型化を容易に行うことができる。
【００２４】
また、筒状頭部５０３が設けられていることにより、この頭部５０３に種々の機能、すなわち、雌歯状部５０５、摺接部材７、環状凹部５０４、ビス孔５０７などを集中して設けることができ、上記の利点に加えて、内側摺動子５をケース本体２内に位置決め装着や操作摘みとの連結構成を付与することができる。
【００２５】
また、前記ラッチケース４には、ラッチ体４０１の後端部が、前記内・外摺動子の切欠き部５０１、６０１に没入して弾性復帰する際に、ケース４との衝撃を吸収するための緩衝体が設けられるが、緩衝体４０６は、ラッチケース４に一体的に延出形成した湾曲Ｌ字状の舌片で構成してあるので、ラッチ体４０１が、弾性復帰する際にラッチケースに衝突したとしても、衝撃音を軽減できることは勿論、緩衝体を構成する別途部材の制作が一切不要で部品管理の必要性が無く、装置全体の構造の簡略化や部品点数の削減を図ることができる利点がある。
【００２６】
上記のトータル的な構成要素の改良により、ダイヤル錠装置１自体を構成する個々の部品点数の削減が図れ、結果、組立工程と部品管理の簡略化が行え、組み立て作業効率の向上と、コスト低減が図れると共に、組み立てミスを回避し正規解除番号と相違する製品ができてしまう危険性を排除することができる。
【００２７】
【発明の効果】
本発明は、ダイヤル錠おいて、前記切欠き部５０１と６０１同士を前記解錠符号の組合せにより一致させるよう、前記内・外側摺動子５，６のそれぞれに、内・外何れかの摺動子５または６が一回転することで互いに係合する係合片５０２、６０２を切欠き部５０１、６０１を基準として設けて、外側摺動子６を内側摺動子５に嵌挿すると共に、内側摺動子５には、係合片５０２が配設された先端部側に、その外周面に環状凹部５０４が設けられ、外側摺動子６と共にケース本体２の内壁面と対面する筒状頭部５０３を形成せしめる一方、ケース本体２は、円筒状部材を縦断分割せしめて、その内壁面に環状凸部２０５が設けられた一対のケース半体２０１、２０１を組みとして構成し、内側摺動子５を、一方のケース半体２０１の環状凸部２０５に、環状凹部５０４を嵌合させて他方のケース半体２０１をセットし、ケース本体２内に位置決め保持せしめ、これに操作摘み３を嵌挿することで、筒状頭部５０３の上面部と操作摘み３とを対面させて仮組付け可能に構成し、該仮組付け状態で、筒状頭部５０３と操作摘み３とを、それぞれの対向面に形成した一対の嵌合手段（雄歯状部３０３と雌歯状部５０５）を介して一体回動するよう嵌装し、操作摘み３側の操作によって、前記切欠き部５０１と６０１同士の角度位置を異相させる前記解錠符号の組合せパターンを調整設定可能に構成されている。
このようにケース本体２を分割し、内側摺動子５に筒状頭部５０３を形成して仮組付けできるように構成すると、装置１全体の構造の簡略化や部品点数の削減を図ることができ、内側摺動子５と操作摘み３とを、中間部材を何ら介在することなく直接的に組み付けて、切欠き部５０１と６０１の角度位置を確認調整しながら解錠符号の組合せパターンの設定作業ができるようになり、結果、組立作業が容易で安価に制作し、組み立てミスを防止し誤った解錠符号の製品ができてしまうことを回避できるだけでなく、ケース本体２内に位置決め保持された内側摺動子５に対し、操作摘み３側の嵌合操作で簡単に解錠符号の組合せパターン（切欠き部５０１および係合片５０２を異相させる角度配置）を変更することができるため、両者を嵌合固定する前の仮組付けした状態で、分解することなく角度配置と解錠符号との組合せ確認作業を容易に行うことができる。しかも、一対のケース半体２０１、２０１で構成されたケース本体２には、その内部に、摺接部材７が係脱する溝部２０２や環状凸部２０５のような凹凸部を形成し得て、摺動子の保持機能など所望の機能を容易に採用することができ、また、内側摺動子５には、筒状頭部５０３に種々の機能、すなわち、雌歯状部５０５だけでなく、摺接部材７、環状凹部５０４、ビス孔５０７などを集中して設けることができるばかりか、筒状頭部５０３と外側摺動子６の外周面を共にケース本体２の内壁面と対面させることができ、両者の外周面に摺接部材７を配設し得て、ケース半体２０１の環状凸部２０５に環状凹部５０４を嵌合するだけで内側摺動子５の位置決め装着や操作摘み３との連結構成を付与することができると共に、外側摺動子６を内側摺動子５に嵌挿するだけで仮組付けによるセット作業が行え、組付け作業を容易なものとし、機構のコンパクト化が図られ、もって、組立工程と部品管理が簡素化されて、組み立て作業効率の向上と、コスト低減が図れると共に、組み立てミスを回避し正規解除番号と相違する製品ができてしまう危険性を排除することができる。
【図面の簡単な説明】
【図１】ダイヤル錠装置を示す（Ａ）は底面図、（Ｂ）は側面図、（Ｃ）は上面図。
【図２】図１（Ａ）の中央縦断面図。
【図３】ケース本体を示す（Ａ）は側面図、（Ｂ）は上面図、（Ｃ）は（Ａ）の背面側分割状態図、（Ｄ）は（Ｂ）の分割状態図。
【図４】内側摺動子を示す（Ａ）は底面図、（Ｂ）は側面図、（Ｃ）は上面図、（Ｄ）は背面図。
【図５】外側摺動子を示す（Ａ）は底面図、（Ｂ）は側面図、（Ｃ）は上面図、（Ｄ）は背面図。
【図６】内側摺動子の係合片の角度位置を示す配置図表。
【図７】摘み部を示す（Ａ）は底面図、（Ｂ）は側面図、（Ｃ）は上面図。
【図８】トップカバー部を示す（Ａ）は底面図、（Ｂ）は側面図。
【図９】ダイヤル錠装置の組立説明図。
【符号の説明】
１     ダイヤル錠装置
２     ケース本体
２０１ ケース半体
２０２ 溝部
２０３ 切欠き部
２０４ 切欠き部
２０５ 環状凸部
２１   鍔部
２１１ 段部
２１２ ビス孔
３     操作摘み
３０１ 摘み部
３０２ トップカバー部
３０３ 雄歯状部
３０４ 孔部
３０５ 孔部
３０６ 凸部
３０７ ビス孔
３１   符号カバー
３１１ 選択窓部
４     ラッチケース
４０１ ラッチ体
４０２ 嵌合凸部
４０３ コイルバネ
４０４ 長孔
４０５ ピン
４０６ 緩衝体
５     内側摺動子
５０１ 切欠き部
５０２ 係合片
５０３ 頭部
５０４ 環状凹部
５０５ 雌歯状部
５０６ 取付け溝
５０７ ビス孔
６ 外側摺動子
６０１ 切欠き部
６０２ 係合片
６０６ 取付け溝
７     摺接部材（板バネ）
８     マークシート
８０１ 選択合わせ部
９     ビス
【図１】
0004736292.tif 000002
【図２】
0004736292.tif 000003
【図３】
0004736292.tif 000004
【図４】
0004736292.tif 000005
【図５】
0004736292.tif 000006
【図６】
0004736292.tif 000007
【図７】
0004736292.tif 000008
【図８】
0004736292.tif 000009
【図９】
0004736292.tif 000010